(57)【要約】【課題】本体に対して使用位置と収納位置との間で回動する表示部と、開口部に対して開閉自在に回動する蓋部とを持ち、表示部が使用位置にある状態での、表示部と蓋部との干渉を避けることができる電子機器を提供する。【解決手段】開口部が設けられたカメラ本体１０１と、カメラ本体１０１に対して、使用位置と収納位置との間で回動するパネルユニット１０５と、開口部に対して回動して電池ボックス１２０を開閉する蓋部１０９とを備えるビデオカメラを設ける。開口部は、パネルユニット１０５の底面が収納位置において当接する面である収納面と隣り合う面に設けられている。パネルユニット１０５は、収納位置から使用位置への回動により、開口部が設けられた面にせり出し、蓋部１０９は、開口部に対して、パネルユニット１０５と干渉しない位置に回動して開口部を開く。【選択図】図１
2015011257.tif 000002
【特許請求の範囲】
【請求項１】
開口部が設けられた本体部と、
前記本体部に対して、使用位置と収納位置との間で回動する表示部と、
前記開口部に対して回動して当該開口部を開閉する蓋部とを備え、
前記開口部は、前記表示部の底面が前記収納位置において当接する面である収納面と隣り合う面に設けられ、
前記表示部は、前記収納位置から前記使用位置への回動により、前記開口部が設けられた面にせり出し、
前記蓋部は、前記開口部に対して、前記開口部が設けられた面にせり出す前記表示部と干渉しない位置に回動して当該開口部を開く
ことを特徴とする電子機器。
【請求項２】
前記蓋部は、前記表示部がせり出すときの当該表示部の回転方向と同じ方向に回転することで、当該表示部と干渉しない位置に移動する
ことを特徴とする請求項１に記載の電子機器。
【請求項３】
前記蓋部は、前記開口部に対してスライド移動可能であり、スライド移動端において回転して当該開口部を開く
ことを特徴とする請求項１または請求項２に記載の電子機器。
【請求項４】
前記本体部は、前記蓋部のスライド移動時に当該蓋部をガイドするガイド部を備える
ことを特徴とする請求項３に記載の電子機器。
【請求項５】
前記蓋部は、前記スライド移動端における回転により前記開口部を開いた状態での当該蓋部の姿勢を保持する保持機構を有する
ことを特徴とする請求項３または請求項４に記載の電子機器。
【請求項６】
前記保持機構は、前記蓋部に設けられた、前記開口部を開いた状態で前記本体部に当接する当接部と、前記本体部に設けられた溝部に前記状態で嵌合する凸部とを有する
ことを特徴とする請求項５に記載の電子機器。
【請求項７】
前記本体部は、前記蓋部の前記開口部に対するスライド移動時にクリック力を発生させるクリック手段を備える
ことを特徴とする請求項３乃至６のいずれか１項に記載の電子機器。
【請求項８】
前記開口部は、少なくとも電池を収納する収納部に設けられている
ことを特徴とする請求項１乃至７のいずれか１項に記載の電子機器。
【請求項９】
請求項１乃至８のいずれか１項に記載の電子機器として機能する撮像装置。
【発明の詳細な説明】
【技術分野】
【０００１】
本発明は、電子機器および撮像装置に関する。
【背景技術】
【０００２】
撮影データを記録したメモリカードを着脱可能に収納するメモリカード収納部や電池を着脱可能に収納する電池収納部を筐体内に備える撮像装置が提案されている。また、電池やメモリカードをゴミなどから守るために、収納部に蓋を設け、蓋の開状態において、電池、メモリカードの挿抜をすることができる電子機器が提案されている。
【０００３】
また、特許文献１は、カメラ本体に対して開閉自在に回転する表示ユニットを備え、表示ユニットを使用者の撮影姿勢に適した方向へ向けることが可能である撮像装置を開示している。
【先行技術文献】
【特許文献】
【０００４】
【特許文献１】特開２０１２−１３４８１４号公報
【発明の概要】
【発明が解決しようとする課題】
【０００５】
表示ユニットがカメラ本体に対して開閉自在に回転する撮像装置では、表示ユニットが回転して開き状態（使用位置にある状態）となったときに、例えば、カードカバー、電池蓋等の、収納部の蓋部と干渉する場合がある。そして、蓋部が変形したり、破損したり、表示ユニットを傷つけてしまう可能性もある。
【０００６】
本発明は、本体に対して使用位置と収納位置との間で回動する表示部と、開口部に対して開閉自在に回動する蓋部とを持つ電子機器であって、表示部が使用位置にある状態での、表示部と蓋部との干渉を避けることができる電子機器の提供を目的とする。
【課題を解決するための手段】
【０００７】
本発明の一実施形態の電子機器は、開口部が設けられた本体部と、前記本体部に対して、使用位置と収納位置との間で回動する表示部と、前記開口部に対して回動して当該開口部を開閉する蓋部とを備える。前記開口部は、前記表示部の底面が前記収納位置において当接する面である収納面と隣り合う面に設けられる。前記表示部は、前記収納位置から前記使用位置への回動により、前記開口部が設けられた面にせり出し、前記蓋部は、前記開口部に対して、前記開口部が設けられた面にせり出す前記表示部と干渉しない位置に回動して当該開口部を開く。
【発明の効果】
【０００８】
本発明の電子機器によれば、表示部が本体に対して回動して使用位置にある状態での表示部と蓋部との干渉を避けることが可能となる。
【図面の簡単な説明】
【０００９】
【図１】本実施形態の電子機器の構成の一例を示す図である。
【図２】パネルユニットの動作を説明する図である。
【図３】パネルユニットの動作を説明する図である。
【図４】ビデオカメラの分解斜視図の一例である。
【図５】底面カバーの詳細構成を示す図である。
【図６】電池蓋の詳細構成を示す図である。
【図７】電池ボックスユニットの詳細構成を示す図である。
【図８】電池蓋の開き動作を説明する図である。
【図９】電池蓋の開き動作を説明する図である。
【図１０】電池蓋とパネルユニットの双方が開いた状態を説明する図である。
【発明を実施するための形態】
【００１０】
図１は、本実施形態の電子機器の構成の一例を示す図である。図１（Ａ）は、電子機器の前面構成を示す斜視図である。図１（Ａ）中、電子機器が備える左側の蓋が開いている。図１（Ｂ）は、電子機器の背面構成を示す斜視図である。図１（Ｂ）中、電子機器が備える右側の蓋が開いている。図１に示す例では、撮像装置の一例であるビデオカメラが、本実施形態の電子機器として機能する。
【００１１】
カメラ本体１０１は、ビデオカメラの本体部である。カメラ本体１０１は、撮影レンズ１０２、マイク１０３、レリーズ釦１０４、パネルユニット１０５、ストラップピン１０６を備える。撮影レンズ１０２は、被写体を撮影するためのレンズである。マイク１０３は、音声を録音する。レリーズ釦１０４は、静止画撮影の開始を指示するための釦である。
【００１２】
パネルユニット１０５は、撮像画像を表示する表示パネルである。ストラップピン１０６は、ストラップを固定するためのピンである。
【００１３】
また、カメラ本体１０１は、電源スイッチ１０７、再生釦１０８、電池蓋１０９を備える。電源スイッチ１０７は、カメラ本体１０１を起動するためのスイッチである。再生釦１０８は、記録した映像を再生する動作モードに切り換えるための釦である。電池蓋１０９は、カメラ本体１０１の後ろ側に設けられ、電池を取り出す際に開閉する。
【００１４】
カメラ本体１０１の左側面には、左側面蓋１１０が設けられている。左側面蓋１１０を開くと、メモリーカードスロット１１０ａ、ＵＳＢジャック１１０ｂが設けられている。メモリーカードスロット１１０ａは、記録媒体であるメモリカードを挿入することが可能である。また、ＵＳＢジャック１１０ｂは、ＰＣ（Personal Computer）等の接続が可能であるＵＳＢケーブルを挿入可能である。
【００１５】
カメラ本体１０１の右側面には、右側面蓋１１１が設けられている。右側面蓋１１１を開くと、ＤＣジャック１１１ａ、ＨＤＭＩ（登録商標）ジャック１１１ｂが設けられている。ＤＣジャック１１１ａは、電源供給可能なＤＣケーブルを挿入可能である。ＨＤＭＩ（登録商標）ジャック１１１ｂは、撮影画像を外部に出力可能であるＨＤＭI（登録商標）ケーブルを挿入可能である。本実施形態では、光軸に沿って撮影レンズ１０２を配置した方向を本体前方、電池蓋１０９方向を本体後方と定義する。また、図１（Ａ），（Ｂ）に示すように、パネルユニット１０５がカメラ本体１０１に対して閉じている状態を収納状態と定義する。また、収納状態でのパネルユニット１０５の位置を収納位置と定義する。
【００１６】
図２および図３は、パネルユニットの動作を説明する図である。図２（Ａ）は、パネルユニット１０５をカメラ本体１０１に対して回動させて開いた状態である。本実施形態では、この状態を使用状態と定義する。また、使用状態でのパネルユニット１０５の姿勢を通常撮影姿勢と定義する。また、使用状態でのパネルユニット１０５の位置を、使用位置と定義する。
【００１７】
図２（Ｂ）は、使用状態におけるビデオカメラの前面を示す斜視図である。図３（Ａ）は、使用状態での左側面を示す側面図である。パネルユニット１０５は、回転可能な２軸のヒンジ部を持ち、ヒンジの第１回転軸１０５ａが、本体後方に配置されている。また、第２回転軸１０５ｂが、パネルユニット１０５の中心よりも上方に配置されている。収納面１０１ａは、パネルユニットを収納する面である。
【００１８】
図１（Ａ）に示す収納状態から第１回転軸１０５ａを中心に回転すると、パネルユニット１０５の表示面が後方へと移動し、パネルユニット１０５は、図２（Ａ）乃至図３（Ａ）に示すように、通常撮影姿勢をとる。すなわち、パネルユニット１０５は、カメラ本体１０１に対して、使用位置と収納位置との間で回動する表示部として機能する。このとき、パネルユニット１０５の一部が後方までせり出す。具体的には、パネルユニット１０５は、カメラ本体１０１の、収納状態においてパネルユニット１０５の裏面と当接する収納面１０１ａと隣接する面にせり出す（オーバーハングする）。これにより回転角の拡大とパネルユニット１０５の大型化を実現できる。
【００１９】
ここで、収納面１０１ａと隣接する面には、後述するように、電池を収納する収納部として機能する電池ボックス１２０の開口部（図８中のＯ）が設けられている。ビデオカメラは、開口部を開閉する電池蓋１０９と、通常撮影姿勢をとる場合のパネルユニット１０５とが干渉しない構成になっている。
【００２０】
通常撮影姿勢から、第２回転軸１０５ｂを中心にパネルユニット１０５を図３（Ａ）に示す状態で反時計方向に回転させると、被写体方向にパネルユニット１０５が向き、図３（Ｂ）に示す対面撮り姿勢になる。対面撮り姿勢は、主に自分撮りに使用する姿勢である。対面撮り姿勢において、使用者は、パネルユニット１０５の表示面を見て、画角などを確認しながら自分撮りを行うことができる。
【００２１】
図４は、ビデオカメラの分解斜視図の一例である。ビデオカメラは、メイン基板１１２、前面カバーユニット１１３、上面カバーユニット１１４、底面カバーユニット１１５、左カバーユニット１１６、右カバーユニット１１７、電池ボックスユニット１１８に分解できる。メイン基板１１２は、電源ＩＣなどの電気部品とＨＤＭＩ（登録商標）やＵＳＢなどの端子を備えている。
【００２２】
前面カバーユニット１１３は、ビデオカメラの前面部を構成する。前面カバーユニット１１３は、レンズ１０２や図示しないセンサなどを保持する。上面カバーユニット１１４は、ビデオカメラの上面部を構成する。上面カバーユニット１１４には、パネルユニット１０５が取り付けられている。底面カバーユニット１１５は、ビデオカメラの背面部及び底面部を構成する。底面カバーユニット１１５には、電池蓋１０９が取り付けられている。左カバーユニット１１６は、ビデオカメラの左側面部を構成する。左カバーユニット１１６には、レリーズ釦１０４が設けられている。電池ボックスユニット１１８は、挿入された電池を保持する。
【００２３】
以下に、ビデオカメラの組み立て方について説明する。まず、前面カバーユニット１１３に対してメイン基板１１２を取り付けた後、左カバーユニット１１６と右カバーユニット１１７をそれぞれにメイン基板１１２に対して組み込み、上面カバーユニット１１４をメイン基板１１２に取り付ける。次に、電池ボックスユニット１１８をメイン基板１１２に対して組みつけ、最後に底面カバーユニット１１５を上面カバーユニット１１４に対して外形を合わせるように組みつけることで一体化する。
【００２４】
次に、図５および図６を参照して、底面カバーユニット１１５を構成する底面カバー１１９と電池蓋１０９の詳細構成を説明する。図５（Ａ）は、底面カバー１１９の斜視図である。図５（Ｂ）は、図５（Ａ）の符号Ａで示す回転軸１１９ａ周辺を拡大した拡大図である。図６は、電池蓋１０９の斜視図である。
【００２５】
図５（Ａ）、図５（Ｂ）に示すように、底面カバー１１９には、電池蓋１０９と係合する回転軸１１９ａが設けられている。回転軸１１９ａの周囲には、溝部として、スライド溝１１９ｂと回転保持溝１１９ｃとが設けられている。
【００２６】
また、図６に示すように、電池蓋１０９は、腕部１０９ａ、軸穴部１０９ｂ、姿勢保持凸部１０９ｃ、クリック当接部１０９ｄ、ストッパー部１０９ｅ、爪部１０９ｆを備える。腕部１０９ａには、軸穴部１０９ｂ、姿勢保持凸部１０９ｃが設けられている。軸穴部１０９ｂは、長穴形状であり、底面カバー１１９の回転軸１１９ａと嵌合する。底面カバー１１９の回転軸１１９ａと電池蓋１０９の軸穴部１０９ｂとが嵌合することで、電池蓋１０９が、底面カバー１１９にスライド及び回転可能に支持される。
【００２７】
姿勢保持凸部１０９ｃは、底面カバー１１９のスライド溝１１９ｂ、回転保持溝１１９ｃと勘合する。クリック当接部１０９ｄは、電池蓋１０９をスライドさせる際にクリック力を出す。ストッパー部１０９ｅは、回転方向に電池蓋１０９を開いたときに電池ボックスユニット１１８に突き当たる。爪部１０９ｆは、電池ボックスユニット１１８に当接することで、電池蓋１０９が閉じた状態の姿勢を保持する。図示していないが、姿勢保持凸部１０９ｃ、回転軸１１９ａ、スライド溝１１９ｂ、回転保持溝１１９ｃは、左右対称に設けられている。
【００２８】
図７は、電池ボックスユニットの詳細構成を示す図である。図７（Ａ）は、電池ボックスユニット１１８の前面構成を示す斜視図である。また、図７（Ｂ）は、電池ボックスユニット１１８の側面構成を示す側面図である。
【００２９】
電池ボックスユニット１１８は、電池ボックス１２０、排出バネ（不図示）、板金１２１、電池ロックレバー１２２、開閉バネ１２３、シャフト１２４を備える。電池ボックス１２０は、電池を収納する。排出バネは、電池を排出する。すなわち、電池ボックスユニット１１８と底面カバーユニット１１５とが組付けられた状態で、電池ボックス１２０は、電池を収納する収納部として機能する。電池蓋１０９は、収納部の開口部を開閉する蓋部である。この開口部は、カメラ本体１０１の収納面１０１ａ（図２（Ａ））と隣り合う面に設けられている。なお、本実施形態では、収納部として電池ボックスを適用するが、電子機器に収納して用いる任意のデバイスを収納する収納部に本発明を適用可能である。例えば、収納部が、メモリカードを収納するメモリカード収納部であってもよい。
【００３０】
板金１２１は、電池ボックスユニット１１８の１面を構成する。電池ロックレバー１２２は、電池を保持する。開閉バネ１２３は、電池ロックレバー１２２を一定方向へ付勢する。シャフト１２４は、電池ロックレバー１２２と勘合して軸支する。
【００３１】
また、電池ボックス１２０は、当て面１２０ａ、スライドレール１２０ｂを備える。当て面１２０ａは、電池蓋１０９を閉めた状態で電池蓋の爪部１０９ｆと当接する。スライドレール１２０ｂは、電池蓋１０９のスライド移動時に電池蓋１０９をガイドするガイド部として機能する。また、板金１２１には、電池蓋１０９をスライド移動する際にクリック力を出すクリック部１２１ａが設けられている。
【００３２】
図８および図９は、電池蓋の開き動作を説明する図である。図８（Ａ）は、電池ボックスユニット１１８と底面カバーユニット１１５とを組み付けた、電池蓋閉じ状態での電池蓋の斜視図である。図８（Ｂ）は、電池蓋閉じ状態から、矢印Ａ方向へと電池蓋１０９をスライド移動させた状態を示す図である。図９は、図８（Ｂ）に示す状態から、電池蓋１０９を矢印Ｂ方向へと回転させた状態（電池蓋開状態）を示す図である。
【００３３】
図８（Ａ）に示す電池蓋閉じ状態において、電池蓋１０９は、爪部１０９ｆが電池ボックス１２０の当て面１２０ａと当接することで、その姿勢を保持している。電池蓋閉じ状態から、電池蓋１０９に矢印Ａ方向への力を加えると、クリック部１２１ａがクリック当接部１０９ｄの山形状を乗り上げることでクリック力を発生させながら、電池蓋１０９がスライド移動可能となる。
【００３４】
電池蓋１０９は、回転軸１１９ａと勘合している軸穴部１０９ｂの長穴の範囲内で移動することにより、電池ボックス１２０の開口部Ｏに対してスライド移動する。電池蓋１０９は、スライド移動端において、底面カバー１１９に設けられた回転軸１１９ａを中心に、図９中の矢印Ｂ方向へと電池蓋１０９のストッパー部１０９ｅが電池ボックスに突き当たる回転移動端まで回転する。これにより、電池蓋１０９が、電池ボックス１２０の開口部Ｏを開く。その結果、電池の挿抜が可能となる。すなわち、電池蓋１０９は、開口部Ｏに対して回動して当該開口部を開閉する。
【００３５】
図１０は、電池蓋とパネルユニットの双方が開いた状態を説明する図である。図１０（Ａ）は、電池蓋１０９をスライドした後、パネルユニット１０５を矢印方向に回動させることで通常撮影姿勢をとった場合の、光軸に沿った断面を示す図である。符号１０９ｇは、電池蓋１０９がスライド移動したときの位置を示す。位置１０９ｇでは、電池蓋１０９と開いた位置にあるパネルユニット１０５と干渉する。しかし、本実施形態では、電池蓋１０９がスライド移動した後、パネルユニット１０５の回転方向と同じ方向に回転する。これにより、パネルユニット１０５が通常撮影姿勢をとって、一部が後方にせり出した場合でも電池蓋１０９が同方向に回転するため、パネルユニット１０５が、電池蓋開き状態での電池蓋１０９の位置と干渉しない。
【００３６】
本実施形態では、ビデオカメラは、電池蓋１０９が回動して開口部Ｏを開いた状態でパネルユニット１０５が通常撮影姿勢をとって場合に電池蓋１０９とパネルユニット１０５とが干渉しない。他の実施形態では、パネルユニット１０５が通常撮影姿勢をとった状態で電池蓋１０９が回動して開口部Ｏを開いた場合であっても、電池蓋１０９とパネルユニット１０５とが干渉しない構成をとってもよい。
【００３７】
次に、電池蓋１０９を開いた状態で姿勢を保持する機構について説明する。図１０（Ｂ）は、図１０（Ａ）中のＣ部の拡大図である。図１０（Ｂ）では、説明の便宜上、電池蓋１０９と底面カバー１１９のみ示す。
【００３８】
まず、電池蓋１０９が、電池蓋閉じ状態からスライド移動したとき、電池蓋１０９の姿勢保持凸部１０９ｃは、底面カバー１１９のスライド溝部１１９ｂ内を移動する。次に、電池蓋１０９がスライド端より回転移動を始めると、電池蓋１０９の姿勢保持凸部１０９ｃが、スライド溝部１１９ｂの円弧上の端部１１９ｄを乗り越える。電池蓋１０９が回転移動を終えたとき、図１０（Ｂ）に示すように、電池蓋１０９のストッパー部１０９ｅが電池ボックスユニット１１８に突き当たると同時に、電池蓋１０９の姿勢保持凸部１０９ｃが、底面カバー１１９の回転保持溝１１９ｃに落ち込んで嵌合する。これにより、電池蓋１０９は開き状態の姿勢で保持することができる。すなわち、ストッパー部１０９ｅと、姿勢保持凸部１０９ｃとが、電池蓋１０９の開き状態の姿勢を保持する保持機構として機能する。
【００３９】
なお、電池のかわりに、電池と略同形状のＤＣカプラー（疑似電池型アダプタ）を電池ボックス１２０に装填し、交流電力を直流電力に変換するＡＣアダプタからＤＣカプラーに直流電力を供給するように構成してもよい。その場合、ＤＣカプラーとＡＣアダプタを接続するケーブルが電池蓋１０９やパネルユニット１０５と干渉することなく、ＤＣカプラーを電池ボックス１２０に装填した状態で電子機器を使用することができる。
【００４０】
以上説明した本実施形態の電子機器は、電池蓋１０９の開動作の途中で、不意にパネルユニット１０５を開いても電池蓋１０９が逃げる構造を有する。これにより、電池蓋１０９、パネルユニット１０５の不用意な破損、傷付きを防止することができる。本発明の好ましい実施形態について説明したが、本発明は上記実施形態に限定されるものではなく、本発明の要旨の範囲内で種々の変形及び変更が可能である。
【符号の説明】
【００４１】
１０１  カメラ本体
１０２  撮影レンズ
１０５  パネルユニット
１０９  電池蓋
【図１】
2015011257.tif 000003
【図２】
2015011257.tif 000004
【図３】
2015011257.tif 000005
【図４】
2015011257.tif 000006
【図５】
2015011257.tif 000007
【図６】
2015011257.tif 000008
【図７】
2015011257.tif 000009
【図８】
2015011257.tif 000010
【図９】
2015011257.tif 000011
【図１０】
2015011257.tif 000012